(57)【要約】      （修正有）【課題】組み立てが容易で、特に、なめらかで簡潔なデザインとすることができ、それでいて正確に分まで読み取ることができる単針時計を提供する【解決手段】単針時計１０は、複数の針位置へ移動可能な単針２０と単針２０が現在の時刻に対応する針位置に位置するように、機械的に単針を動かす時計機構とを備え、単針時計１０は時計機構と接続された駆動素子２６を備え、時計機構は、駆動素子２６の作動に応じて、第１動作状態から第２動作状態へ変化し、単針２０位置は第１動作状態において分情報を示し、第２動作状態において時間情報を示すように単針２０を移動するように構成される。【選択図】図１
2014228543.tif 000002
【特許請求の範囲】
【請求項１】
単針時計（１０）は、
複数の針位置へ移動可能な単針（２０）と
前記針（２０）が現在の時刻に対応する針位置に位置するように、機械的に前記針（２０）を動かす時計機構とを備え、
前記単針時計（１０）は前記時計機構と接続された駆動素子（２６）を備え、
前記時計機構は、駆動素子（２６）の作動に応じて、第１動作状態から第２動作状態へ変化し、前記針位置は前記第１動作状態において分情報を示し、前記第２動作状態において時間情報を示すように前記針（２０）を制御するように構成されている単針時計（１０）。
【請求項２】
前記時計は、正確に６０個の固有の識別可能な針位置が可能であるように構成されていることを特徴とする請求項１に記載の単針時計（１０）。
【請求項３】
前記時計機構は、第２動作状態において、正確に１２個の固有の識別可能な針位置が可能であるように構成されている
ことを特徴とする請求項１または２に記載の単針時計（１０）。
【請求項４】
前記時計機構は前記針を動かす電気機械制御素子を備える
ことを特徴とする請求項１から３のいずれか一つの単針時計（１０）。
【請求項５】
前記時計機構は電子時計機構である
ことを特徴とする請求項１から４のいずれか一つの単針時計（１０）。
【請求項６】
前記単針時計はリストバンド（１８）を備える
ことを特徴とする請求項１から５のいずれか一つの単針時計（１０）。
【請求項７】
前記時計機構は、駆動素子（２６）の作動後、前記第１動作状態へ自動的に戻るように構成されている
ことを特徴とする請求項１から６のいずれか一つの単針時計（１０）。
【請求項８】
前記時計機構は、駆動素子（２６）の作動後、予め定められた期間、第２動作状態を維持するように構成されている
ことを特徴とする請求項１から７のいずれか一つの単針時計（１０）。
【請求項９】
前記時計機構は、２回の駆動素子（２６）の作動に応じて、第３動作状態へ変化し、第３動作状態において前記針位置が秒情報を示すように前記針（２０）を移動するように構成されている
ことを特徴とする請求項１から８のいずれか一つの単針時計（１０）。
【請求項１０】
前記時計機構は、３回の駆動素子（２６）の作動に応じて、第４動作状態へ変化し、第４動作状態において前記針位置が日情報を示すように前記針（２０）を移動するように構成されている
ことを特徴とする請求項１から９のいずれか一つの単針時計（１０）。
【請求項１１】
前記時計機構は、４回の駆動素子（２６）の作動に応じて、第５動作状態へ変化し、第５動作状態において前記針位置が月情報を示すように前記針（２０）を移動するように構成されている
ことを特徴とする請求項１から１０のいずれか一つの単針時計（１０）。
【請求項１２】
前記時計機構は、５回の駆動素子（２６）の作動に応じて、第６動作状態へ変化し、第６動作状態において前記針位置が年情報を示すように前記針（２０）を移動するように構成されている
ことを特徴とする請求項１から１１のいずれか一つの単針時計（１０）。
【請求項１３】
第１動作状態から始まる動作状態の変化に応じて前記針は常に時計回りに移動し、第１動作状態へ戻る操作状態の変化に応じて常に反時計回り、
または、その逆に移動するように前記時計が構成されている
ことを特徴とする請求項１から１２のいずれか一つの単針時計（１０）。
【発明の詳細な説明】
【技術分野】
【０００１】
本発明は時計機構と単針を備える単針時計に関する。
【背景技術】
【０００２】
時針と分針とを用いて時刻を表示する従来の時計と対照的に、単針時計はこの目的のために単針のみ用いる。単針を用いようとする当初の動機は、機械式時計機構の可能な限りの単純化であったのに対して、このごろにおいては、単針だけを備える時計の利点は、特に時計の独特のデザインに見出すことができる。かくして、単針を用いることで本質的事項を減少させたデザインのための空間を許容する。
【０００３】
一般的に公知の単針時計は単針を備え、単針の移動は従来の時針に対応する。最も正確に時刻を読み取ることができるように、種々の補助手段が提案されている。
【０００４】
例えば、米国特許５、２８０、４６１Ａ号公報には、時針の長手方向に移動可能なスライドが取り付けられた時針を備える時計が示されている。分情報はスライドの位置から読み取ることができる。
【０００５】
米国特許５、１３４、５９６Ａ号公報から、文字盤が２つの目盛りを備える単針時計が知られている。時間情報は内側の目盛りで読むことができ、分情報は外側の目盛で読むことができる。ここで、外側の目盛りは、５分間隔の目盛りである。
【０００６】
仏国１４２２６２４Ａ号公報から、文字盤が、時間目盛に加えて、１５分間隔で分情報を読み取ることができるステップ形状の線を備える単針時計が知られている。
【０００７】
英国１８５３２１Ａ号公報から、文字盤が分ステップにおいて特に微細な尺度の目盛りを備える単針時計が知られている。さらに、特別なバランス機構が、針の先端の正確な位置を保証しなければならない。
【０００８】
他の公知の単針時計は、昼と夜とが区別できるように、２４時間で１回、回転する単針を備える。１２時間で回転する針と比較して、針のより緩慢な動きは、正確な読み取りをより困難にもする。
【０００９】
互いに別々に動く時計機構を備える時計も知られており、時計機構の１つは時針を駆動し、もう１つの時計機構は分針を駆動する。そのような時計は、例えば、独国実用新案２９９１２６２４Ｕ１号公報および独国実用新案２０２００８０１０９６２Ｕ１号公報から知られている。
【００１０】
独国特許４００３６５５Ｃ１号公報から、分針を備える腕時計が知られている。分針の下方の画像ディスクが回転し、分針の外観が画像ディスクの位置により影響される。これにより、分針で時間情報を読み取ることを可能にする。
【００１１】
米国特許２０１１／０２９９３６５Ａ１号公報から、分針と時針とを備える時計が知られている。２つの針が、時刻を従来方式により表示する。ボタンを押すことにより、分針が、１から３１への特別な目盛り上で現在の日付の日にちを表示する異なる位置へ移動される。
【先行技術文献】
【特許文献】
【００１２】
【特許文献１】米国特許５、２８０、４６１Ａ号公報
【特許文献２】米国特許５、１３４、５９６Ａ号公報
【特許文献３】仏国１４２２６２４Ａ号公報
【特許文献４】英国１８５３２１Ａ号公報
【特許文献５】独国実用新案２９９１２６２４Ｕ１号公報
【特許文献６】独国実用新案２０２００８０１０９６２Ｕ１号公報
【特許文献７】独国特許４００３６５５Ｃ１号公報
【特許文献８】米国特許２０１１／０２９９３６５Ａ１号公報
【発明の概要】
【発明が解決しようとする課題】
【００１３】
このような背景から始まって、本発明の目的は、組み立てが容易で、特に、なめらかで簡潔なデザインとすることができ、それでいて正確に分まで読み取ることができる単針時計を提供することである。
【課題を解決するための手段】
【００１４】
この目的は、請求項１の特徴を有する単針時計によって達成される。有益な構成は、その後の従属請求項に明記されている。
【００１５】
単針時計は、
複数の針位置へ移動可能な単針と、
前記針が現在の時刻に対応する針位置に位置するように、機械的に前記針を動かす時計機構とを備え、
前記単針時計は前記時計機構と接続された駆動素子を備え、
前記時計機構は、駆動素子の作動に応じて、第１動作状態から第２動作状態へ変化し、前記針位置は前記第１動作状態において分情報を示し、前記第２動作状態において時間情報を示すように前記針を移動するように構成されている。
【００１６】
単針は細長い基本形状を有してもよい。単針は、回転可能な方法で、一端または中央部で取り付けられ、単針時計の場合回転可能な方法で取り付けられる回転軸に、この目的のために、強く接続されている。回転軸から遠く離れた針の端部は、針の先端を有する。回転軸、または、単針時計の文字盤とそれぞれ関連する針のこの端部の位置により分情報または時間情報をそれぞれ読み取ることができる。この目的のために、文字盤は、例えば、５分間隔の印の形で、したがって、時間目盛りを有する従来の文字盤の時間標識の位置に、任意のスケーリングを有してもよい。文字盤上のさらなる標識は、分間隔の位置を特定することができる。文字盤は、標識に加えて、または、標識の代わりに、例えば、１〜１２の数字を有してもよい。
【００１７】
針は時計機構により機械的に複数の針位置へ移動され、回転可能な方法で取り付けられた針の場合、針の先端は円軌道を回転することができる。現在の時刻に常に対応する針の位置のために、時計機構は現在の時刻に関する情報を有する。このため、時計機構はパルス発生器を備えてもよく、例えば、水晶振動子、てん輪、または、ツールビロンが挙げられる。
【００１８】
本発明において、単針時計は、時計のユーザーにより作動される駆動素子を備える。駆動素子は、特にボタン、キー、表面センサー、フィールドセンサでもよい。したがって、駆動素子は例えば指を使用して、例えば接触するまたは押すことにより作動することができる。
【００１９】
時計機構は２つの動作状態を有する。基本状態とも呼ばれる第１動作状態において、針位置が分情報を示すように時計機構は針を移動する。駆動素子の作動に応じて時計機構が変化する第２動作状態において、単針は時間情報を示す。
【００２０】
時計の典型的な読み出し手順の場合、多くのユーザーは時計を読む前に時間情報を既に得ているので、時間情報は関心が低いという認識に本発明は基づいている。例えば、差し迫った約束を守るために、しばしば、分情報はより重要である。したがって、本発明者は単針時計に時間情報を常に表示する必要はないと認識した。この状況において、冒頭に記載された公知の単針時計のように、複雑な補助手段を用いて、時間および分情報の同時表示により十分に正確な読みやすさを目指す代わりに、時計の正確で平易な読みやすさのために、基本状態において単針を用いて単純で正確に読みとることができる形式において分情報を表示することは実用的な大きな効果である。
【００２１】
しかしながら、多くの状況において時間情報の読みやすさは重要である。このことは、本発明において、単針が時間情報を示す第２動作状態により考慮されている。
【００２２】
したがって、本発明による単針時計により、ほとんどの状況において現在の時刻に関して知るために針位置を一目みるだけで十分である。これに加えて時間情報を読むことが必要な場合、駆動素子をたった一度作動させて時計をもう一度見るだけで十分である。
【００２３】
本発明の特別な効果は、時間情報と同様に分情報の両方を特に容易に読み取ることができる点にある。特に、情報の両方の部分は従来時計から公知である様式で示すことができる。ユーザーは、単針時計の特有の表示形式にうんざりするほど慣れる必要は無い。同時に、本発明による単針時計は組み立てるのが容易である。他の単針時計と同様に、この時計も、単針だけを必要とする。さらに、針運動の精度上の要件は、分針を備える従来の時計のそれと異ならない。
【００２４】
１つの構造において、時計機構は正確に６０個の固有の識別可能な針位置が可能であるように構成されている。第１動作状態におけるこれらの針位置は、特に、分針を備える従来の時計の文字盤の分区分に対応することができる。この構成において、これらの分位置間の針位置は可能ではない。さらに、針は１つの針位置から次の針位置へ飛ぶ。このように、いかなる時でも、何分が現在の針位置に対応するかを疑いなく認識することができる。
【００２５】
１つの構造において、前記時計機構は、第２動作状態において、正確に１２個の固有の識別可能な針位置が可能であるように構成されている。これらの１２個の針位置は、いずれの場合においても完全な時間に、特に、従来の時計の時針の位置に対応することができる。第２動作状態において、いずれの場合においても針は１２個の針位置の１つにちょうど位置するように時計機構は針を移動する。中間位置は可能ではない。これにより、通常、無段階に回転し、次の完全な時間までの２つのそれらの位置の間の中間位置もとる従来の時針の針位置と、第２動作状態において針位置は異なる。これは、絶対的確実性をもって時間情報を読み取るのに有益である。
【００２６】
１つの構造において、前記時計機構は前記針を動かす電気機械制御素子を備える。基本的に、単針時計は、例えば、エネルギー貯蔵としてばねを用いる機械式時計機構も備えていてもよい。しかしながら、好ましくは、単針時計は電気機械制御素子を備え、例えば、針を動かすステッピングモーターである。単針時計はエネルギー貯蔵として電池を備えてもよい。所望の方法で特に容易に電気機械制御素子を制御することができる。
【００２７】
１つの構造において、前記時計機構は電子時計機構である。ここで、電子時計機構は特に、時間基準として水晶振動を用いる水晶時計機構でもよい。電波を介して放送時間信号を受信するアンテナを備える電波制御時計機構も適切である。これらの場合、単針時計はエネルギー貯蔵として電池を備えてもよい。電子時計機構は時間情報および駆動素子からの信号を処理し、これらを針の電子制御素子のために適した制御信号へ変換する制御部を備えてもよい。
【００２８】
１つの構造において、前記単針時計は腕バンドを備える。この場合、単針時計は単針腕時計である。基本的に、単針時計は、据え置き型時計、または、掛け時計、または、懐中時計のような他の携帯型時計として構成されていてもよい。
【００２９】
１つの構造において、前記時計機構は、駆動素子の作動後、前記時計機構が前記第１動作状態へ自動的に戻るように構成されている。例えば、制御部が駆動素子の作動に応じて変化する第２動作状態は駆動素子が作動する間だけ維持される。続いて、このように駆動素子を作動させた後、分情報を再び表示するために制御部は自動的に第１動作状態へ戻る。
【００３０】
１つの構造において、前記制御部は、駆動素子の作動後、特定の期間、第２動作状態を維持するように構成されている。特定期間は特に１〜１０秒の範囲、好ましくは２〜５秒の範囲、特に約３秒でもよい。この場合、駆動素子がどれくらい作動するかは重要でない。各作動の後、制御部は、時間情報を確実に読み取るのに十分な期間、第２動作状態を維持する。それから、制御部は分情報を表示するために自動的に戻ることができる。
【００３１】
１つの構造において、前記時計機構は、２回の駆動素子の作動に応じて、前記時計機構が第３動作状態へ変化し、第３動作状態において前記針位置が秒情報を示すように前記針を移動するように構成されている。特に、第３動作状態への変化は、駆動素子がある特定の期間内で２回作動された場合に発生する。特に、駆動素子の２回の作動は、駆動素子の第１作動により時計機構がまだ第２動作状態にある時に第２作動が発生してもよい。この場合、時計機構は第３動作状態へ変化する。特に、例えば、第２から第１動作状態への自動変更に関連して説明されているように、駆動素子の作動がそれ以上無い場合、時計機構は第１動作状態へ自動的に戻ってもよい。この構成により、この目的のためにさらなる表示素子を必要とすること無く、第２の情報の単純で正確な読み取りをすることができる。
【００３２】
１つの構造において、前記時計機構は、３回の駆動素子の作動に応じて、前記時計機構が第４動作状態へ変化し、第４動作状態において前記針位置が日情報を示すように前記針を移動するように構成されている。日情報は現在の日付の日に関連する。
【００３３】
１つの構造において、前記時計機構は、４回の駆動素子の作動に応じて、前記時計機構が第５動作状態へ変化し、第５動作状態において前記針位置が月情報を示すように前記針を移動するように構成されている。月情報は現在の日付に関連する。
【００３４】
１つの構造において、前記時計機構は、５回の駆動素子の作動に応じて、前記時計機構が第６動作状態へ変化し、第６動作状態において前記針位置が年情報を示すように前記針を移動するように構成されている。年情報は現在の日付に関連する。記載された構成により、この目的のために、特別な表示素子を必要とすること無く、日情報の単純で正確な読み取りをすることができる。２回作動させる上記説明は駆動素子の多数の作動の存在に対応して適用する。同じことが、第３、第４、第５または第６動作状態それぞれから、第２動作状態から第１動作状態への変更と関連して構成されている第１動作状態への常に可能な自動的な変更に対してあてはまる。
【００３５】
１つの構造において、第１動作状態から始まる動作状態の変化に応じて前記針は常に時計回りの方向に移動し、第１動作状態へ戻る操作状態の変化に応じて常に反時計回り、または、その逆に移動するように前記時計機構が構成されている。第１動作状態から始まる変化は、特に、第１動作状態から第２動作状態への変更であるが、第１動作状態から、例えば、駆動素子の多数の作動に応じた結果である第３、第４、第５または第６動作状態への変更でもよい。第１動作状態へ戻る変化は、特に第２動作状態から第１動作状態へ変更されるが、第３、第４、第５または第６動作状態から第１動作状態へ戻ってもよい。「またはその逆に」は、第１動作状態から始まる変化に伴って針が反時計周りに移動し、第１動作状態へ戻る変化に伴って時計回りに移動することを意味する。回転の特定の方向の認識により次の針の表示が後続の動作状態の１つに対応するかどうか、例えば時間情報を読み取ることができるか、または、分表示へ戻る変化が既に発生したかどうかが直ちに明らかであるので、回転の異なる方向により、時計を読み取るのが容易になる。
【００３６】
本発明は、６つの図に示される例示的実施形態に基づいて、以下により詳細に説明される。
【図面の簡単な説明】
【００３７】
【図１】本発明による第１動作状態における単針時計の概略図である。
【図２】図１の第２動作状態における単針時計である。
【図３】図１の第３動作状態における単針時計である。
【図４】図１の第４動作状態における単針時計である。
【図５】図１の第５動作状態における単針時計である。
【図６】図１の第６動作状態における単針時計である。
【発明を実施するための形態】
【実施例】
【００３８】
図１の単針時計１０はケース１２と文字盤１４とを備える。文字盤１４は、従来の時計の時針がそれぞれちょうど１時間に対して呈する位置に配置される目盛り線１６の形式での１２個の目盛り模様を有する目盛りを備える。さらに、単針時計１０は、ケース１２に固定されたリストバンド１８を備える。
【００３９】
単針時計１０は、針の先端２２を有する単針２０を備える。針の先端２２が円軌道を回転するように、針２０は回転軸２４のまわりを回転可能な方法で取り付けられる。押しボタン形式の駆動素子２６がケース１２の右側にある。
【００４０】
単針時計１０の内部に配置される素子が点線で図示されている。これは針２０の調整駆動装置を形成するステッピングモーター２８を備える時計機構であり、ステッピングモーター２８により針２０を複数の異なる針位置の間を移動可能にする。時計機構はさらに、ステッピングモーター２８を制御する電子制御部３０を備える。電子制御部３０は第１導電体３２を介してステッピングモーター２８へ接続される。電子制御部３０は第２導電体３４を介して駆動素子２６に接続される。
【００４１】
単針時計１０の全ての異なる動作状態が、時刻０８：１０：５１および日付が２０１３年５月３０日を例として説明される。図１は、基本状態ともいうことができる第１動作状態を示す。この第１動作状態において、針２０は分情報を示す。針２０は、従来の時計の１０分の位置の分針と対応する針位置にある。これにより、分情報「１０」が示される。
【００４２】
図１の第１動作状態から始める場合、駆動素子２６が一回作動されると、時計機構、または制御部３０がそれぞれ、図２に示される第２動作状態へ変化する。第２動作状態において、時計機構は、従来の時計の分針の４０分の位置に対応する針位置に針２０を配置する。これにより、時間情報「８」が示される。第２動作状態においてさらに駆動素子２６の作動が無ければ、時計機構は図１に示される第１動作状態へ自動的に戻り、その結果、分情報を示す。
【００４３】
しかしながら、駆動素子２６の２回目の作動があると、制御部３０は図３に示される第３動作状態へ変化する。この第３動作状態において、針２０は、従来の時計の分針の５１分の位置に対応する針位置へ移動される。単針時計１０が、秒情報が示される第３動作状態にあるので、これは、現在の秒情報が「５１」であることを意味する。
【００４４】
駆動素子２６の３回目の作動の場合には、第４動作状態となり、これは図４に示される。針２０は、日にち「３０」の表示に対応する３０分の位置へ動かされる。
【００４５】
駆動素子２６の４回目の作動の場合には、時計機構は、針２０が「５分の位置」となる図５に示される第５動作状態へ変化する。これは、５月の暦月に対応する。
【００４６】
駆動素子２６の５回目の作動の場合には、時計機構は、図６に示される第６動作状態へ変化する。針２０は「１３分の位置」へ動かされ、年号の「１３」の表示と対応する。
【符号の説明】
【００４７】
１０  単針時計
１２  ケース
１４  文字盤
１６  目盛り線
１８  リストバンド
２０  針
２２  針の先端
２４  回転軸
２６  駆動素子
２８  ステッピングモーター
３０  電子制御部
３２  第１導電体
３４  第２導電体
【図１】
2014228543.tif 000003
【図２】
2014228543.tif 000004
【図３】
2014228543.tif 000005
【図４】
2014228543.tif 000006
【図５】
2014228543.tif 000007
【図６】
2014228543.tif 000008
【外国語明細書】
2014228543000001.pdf
2014228543000002.pdf
2014228543000003.pdf
2014228543000004.pdf